【手続補正書】
【提出日】平成23年2月7日(2011.2.7)
【手続補正１】
【補正対象書類名】特許請求の範囲
【補正対象項目名】全文
【補正方法】変更
【補正の内容】
【特許請求の範囲】
【請求項１】
情報処理装置から送信されてきたフォームデータを登録し、当該登録したフォームデータをコンテンツデータに合成する画像形成装置と接続された情報処理装置であって、
付加データをフォームデータとして前記画像形成装置に送信すると共に、当該フォームデータが印刷される際に、透明な色で出力されるように指示するコマンドを前記画像形成装置に送信することを特徴とする情報処理装置。
【請求項２】
情報処理装置から送信されてきたフォームデータを登録する手段と、
当該登録したフォームデータをコンテンツデータに合成する合成部とを有する画像形成装置と接続された情報処理装置であって、
付加データの色を判定する判定手段を備え、
前記判定手段で前記付加データの色が透明であると判定した場合には、前記付加データをフォームデータとして前記画像形成装置に送信すると共に、当該フォームデータが印刷される際に透明な色で出力されるように指示するコマンドを前記画像形成装置に送信し、
前記判定手段で前記付加データの色が透明でないと判定した場合には、コンテンツデータと前記付加データとを前記画像形成装置に送信することを特徴とする情報処理装置。
【請求項３】
前記画像形成装置は、前記情報処理装置から送信されてきたコンテンツデータと前記付加データとを順番にレンダリングすることで、前記コンテンツデータと前記付加データとを合成するレンダリング部をさらに備え、
前記レンダリング部は、前記判定手段で前記付加データの色が透明でないと判定した場合に前記コンテンツデータと前記付加データとを合成することを特徴とする請求項２に記載の情報処理装置。
【請求項４】
付加データをフォームデータとして送信すると共に、当該フォームデータが印刷される際に透明な色で出力されるように指示するコマンドを送信する情報処理装置と接続された画像形成装置であって、
前記情報処理装置から前記フォームデータおよび前記コマンドを受信する手段と、
前記受信したコマンドに従って、前記フォームデータと、該フォームデータの色が透明であることを示す情報を保存する手段と、
前記情報処理装置から、前記フォームデータとコンテンツデータとを合成することを指示するコマンドと、前記コンテンツデータとを受信する手段と、
前記フォームデータとコンテンツデータとを合成することを指示するコマンドを受信すると、前記フォームデータの色が透明として出力されるように、前記保存する手段に保存されたフォームデータと前記コンテンツデータとを合成して出力する手段と
を備えることを特徴とする画像形成装置。
【請求項５】
情報処理装置から送信されてきたフォームデータを登録し、当該登録したフォームデータをコンテンツデータに合成する画像形成装置と接続された情報処理装置の制御方法であって、
付加データをフォームデータとして前記画像形成装置に送信すると共に、当該フォームデータが印刷される際に透明な色で出力されるように指示するコマンドを前記画像形成装置に送信することを特徴とする情報処理装置の制御方法。
【請求項６】
情報処理装置から送信されてきたフォームデータを登録する手段と、
当該登録したフォームデータをコンテンツデータに合成する合成部とを有する画像形成装置と接続された情報処理装置の制御方法であって、
付加データの色を判定する工程を有し、
前記判定する工程で前記付加データの色が透明であると判定した場合には、前記付加データをフォームデータとして前記画像形成装置に送信すると共に、当該フォームデータが印刷される際に透明な色で出力されるように指示するコマンドを前記画像形成装置に送信し、
前記判定する工程で前記付加データの色が透明でないと判定した場合には、コンテンツデータと前記付加データとを前記画像形成装置に送信することを特徴とする情報処理装置の制御方法。
【請求項７】
前記画像形成装置は、前記情報処理装置から送信されてきたコンテンツデータと前記付加データとを順番にレンダリングすることで、前記コンテンツデータと前記付加データとを合成するレンダリング部をさらに備え、
前記レンダリング部は、前記判定手段で前記付加データの色が透明でないと判定した場合に前記コンテンツデータと前記付加データとを合成することを特徴とする請求項６に記載の情報処理装置の制御方法。
【請求項８】
付加データをフォームデータとして送信すると共に、当該フォームデータが印刷される際に透明な色で出力されるように指示するコマンドを送信する情報処理装置と接続された画像形成装置の制御方法であって、
前記情報処理装置から前記フォームデータおよび前記コマンドを受信する工程と、
前記コマンドに従って、前記フォームデータと、該フォームデータの色が透明であることを示す情報を保存する工程と、
前記情報処理装置から、前記フォームデータとコンテンツデータとを合成することを指示するコマンドと、前記コンテンツデータとを受信する工程と、
前記フォームデータとコンテンツデータとを合成することを指示するコマンドを受信すると、前記フォームデータの色が透明として出力されるように、前記保存する手段に保存されたフォームデータと前記コンテンツデータとを合成して出力する工程と
を有することを特徴とする画像形成装置の制御方法。
【請求項９】
コンピュータに請求項５乃至８のいずれかに記載の制御方法を実行させるためのコンピュータプログラム。
【請求項１０】
コンピュータにより読み出し可能なプログラムを格納した記憶媒体であって、請求項９記載のコンピュータプログラムを格納したことを特徴とする記憶媒体。
【手続補正２】
【補正対象書類名】明細書
【補正対象項目名】発明の名称
【補正方法】変更
【補正の内容】
【発明の名称】情報処理装置および画像形成装置
【手続補正３】
【補正対象書類名】明細書
【補正対象項目名】０００７
【補正方法】変更
【補正の内容】
【０００７】
このような課題を解決するために、本発明は、情報処理装置から送信されてきたフォームデータを登録し、当該登録したフォームデータをコンテンツデータに合成する画像形成装置と接続された情報処理装置であって、付加データをフォームデータとして前記画像形成装置に送信すると共に、当該フォームデータが印刷される際に、透明な色で出力されるように指示するコマンドを前記画像形成装置に送信することを特徴とする。
【手続補正４】
【補正対象書類名】明細書
【補正対象項目名】０００８
【補正方法】変更
【補正の内容】
【０００８】
また、本発明は、情報処理装置から送信されてきたフォームデータを登録する手段と、当該登録したフォームデータをコンテンツデータに合成する合成部とを有する画像形成装置と接続された情報処理装置であって、付加データの色を判定する判定手段を備え、前記判定手段で前記付加データの色が透明であると判定した場合には、前記付加データをフォームデータとして前記画像形成装置に送信すると共に、当該フォームデータが印刷される際に透明な色で出力されるように指示するコマンドを前記画像形成装置に送信し、前記判定手段で前記付加データの色が透明でないと判定した場合には、コンテンツデータと前記付加データとを前記画像形成装置に送信することを特徴とする。
【手続補正５】
【補正対象書類名】明細書
【補正対象項目名】０００９
【補正方法】変更
【補正の内容】
【０００９】
また、本発明は、付加データをフォームデータとして送信すると共に、当該フォームデータが印刷される際に透明な色で出力されるように指示するコマンドを送信する情報処理装置と接続された画像形成装置であって、前記情報処理装置から前記フォームデータおよび前記コマンドを受信する手段と、前記受信したコマンドに従って、前記フォームデータと、該フォームデータの色が透明であることを示す情報を保存する手段と、前記情報処理装置から、前記フォームデータとコンテンツデータとを合成することを指示するコマンドと、前記コンテンツデータとを受信する手段と、前記フォームデータとコンテンツデータとを合成することを指示するコマンドを受信すると、前記フォームデータの色が透明として出力されるように、前記保存する手段に保存されたフォームデータと前記コンテンツデータとを合成して出力する手段とを備えることを特徴とする。
【手続補正６】
【補正対象書類名】明細書
【補正対象項目名】００１０
【補正方法】変更
【補正の内容】
【００１０】
また、本発明は、情報処理装置から送信されてきたフォームデータを登録し、当該登録したフォームデータをコンテンツデータに合成する画像形成装置と接続された情報処理装置の制御方法であって、付加データをフォームデータとして前記画像形成装置に送信すると共に、当該フォームデータが印刷される際に透明な色で出力されるように指示するコマンドを前記画像形成装置に送信することを特徴とする。
【手続補正７】
【補正対象書類名】明細書
【補正対象項目名】００１１
【補正方法】変更
【補正の内容】
【００１１】
また、本発明は、情報処理装置から送信されてきたフォームデータを登録する手段と、当該登録したフォームデータをコンテンツデータに合成する合成部とを有する画像形成装置と接続された情報処理装置の制御方法であって、付加データの色を判定する工程を有し、前記判定する工程で前記付加データの色が透明であると判定した場合には、前記付加データをフォームデータとして前記画像形成装置に送信すると共に、当該フォームデータが印刷される際に透明な色で出力されるように指示するコマンドを前記画像形成装置に送信し、前記判定する工程で前記付加データの色が透明でないと判定した場合には、コンテンツデータと前記付加データとを前記画像形成装置に送信することを特徴とする。
【手続補正８】
【補正対象書類名】明細書
【補正対象項目名】００１２
【補正方法】変更
【補正の内容】
【００１２】
また、本発明は、付加データをフォームデータとして送信すると共に、当該フォームデータが印刷される際に透明な色で出力されるように指示するコマンドを送信する情報処理装置と接続された画像形成装置の制御方法であって、前記情報処理装置から前記フォームデータおよび前記コマンドを受信する工程と、前記コマンドに従って、前記フォームデータと、該フォームデータの色が透明であることを示す情報を保存する工程と、前記情報処理装置から、前記フォームデータとコンテンツデータとを合成することを指示するコマンドと、前記コンテンツデータとを受信する工程と、前記フォームデータとコンテンツデータとを合成することを指示するコマンドを受信すると、前記フォームデータの色が透明として出力されるように、前記保存する手段に保存されたフォームデータと前記コンテンツデータとを合成して出力する工程とを有することを特徴とする。